(57)【要約】【課題】少ない発光ダイオードを用いて照明ユニットの角度を変更することにより、設置場所の照明の目的に適した効率の良い配光をすることが可能な街路灯照明装置を提供するものである。【解決手段】支柱ａ１と、この支柱ａ１の上部に保持された照明器具ａ２を備えた街路灯照明装置であって、照明器具ａ２には、レンズ３と発光ダイオード４が一体になった照明ユニット５が角度変更手段６により下方向に指向するように装着され、この照明ユニット５が角度変更手段６により変更できることを特徴とする街路灯照明装置。【選択図】図１
2008258007.tif 000002
【特許請求の範囲】
【請求項１】
照明器具を支柱の上部に保持する街路灯であって、前記照明器具にレンズと発光ダイオードが一体になった複数の照明ユニットが下方向に指向するように装着され、前記照明ユニットは角度変更手段により角度を変更でき、照明の配光を任意に変更できることを特徴とする街路灯。
【請求項２】
街路灯の照明ユニットが角度変更手段により垂直下方向に対して５０度まで角度を変更できることを特徴とする街路灯。
【請求項３】
街路灯の照明ユニットを角度変更手段により歩道配光にすることを特徴とする請求項１に記載の街路灯。
【請求項４】
街路灯の照明ユニットを角度変更手段により集中配光にすることを特徴とする請求項１に記載の街路灯。
【請求項５】
街路灯の照明ユニットを角度変更手段によりコミュニティー配光にすることを特徴とする請求項１に記載の街路灯。
【請求項６】
街路灯の照明ユニットを角度変更手段によりライン配光にすることを特徴とする請求項１に記載の街路灯。
【請求項７】
街路灯の照明ユニットを角度変更手段によりシンボル配光にすることを特徴とする請求項１に記載の街路灯。
【請求項８】
街路灯の照明ユニットを角度変更手段によりランダム配光Ａにすることを特徴とする請求項１に記載の街路灯。
【請求項９】
街路灯の照明ユニットを角度変更手段によりランダム配光Ｂにすることを特徴とする請求項１に記載の街路灯。
【請求項１０】
街路灯が明かりセンサーにより点灯及び消灯することを特徴とする請求項１に記載の街路灯。
【請求項１１】
街路灯が明かりセンサーにより点灯し任意の時間で消灯することを特徴とする請求項１に記載の街路灯。
【請求項１２】
街路灯が人感センサーにより点灯し任意の時間照明することを特徴とする請求項１に記載の街路灯。
【請求項１３】
街路灯が照明の点灯後に、任意の時間に減光することを特徴とする請求項１に記載の街路灯。
【請求項１４】
街路灯の照明器具を２本の支柱の間に地上から所定の高さに保持することを特徴とする請求項１に記載の街路灯。
【請求項１５】
街路灯の照明器具を４本の支柱の間に地上から所定の高さに保持することを特徴とする請求項１に記載の街路灯。
【請求項１６】
街路灯の発光ダイオードが白色であることを特徴とする請求項１に記載の街路灯。
【請求項１７】
街路灯の発光ダイオードが電球色であることを特徴とする請求項１に記載の街路灯。
【請求項１８】
街路灯の支柱に風力発電手段又は太陽光発電手段により発生する電力を蓄電する手段を備え、前記蓄電手段に蓄電された電力を用いて照明することを特徴とする請求項１に記載の街路灯。
【発明の詳細な説明】
【技術分野】
【０００１】
本発明は、照明手段に発光ダイオードを用いた街路灯照明装置に関するものである。
【背景技術】
【０００２】
従来、街路灯は、一般的に白熱灯や蛍光灯や水銀灯などが照明として使用されてきたが、消費電力が大きくしかも寿命が短いため頻繁に交換するなど維持費が高くつくことから、消費電力が少なく寿命が長い発光ダイオードが照明手段として用いられるようになってきた。
【０００３】
しかし、発光ダイオードは蛍光灯などの一般的な照明に対して効率が劣るので街路灯にはあまり用いられずに、主にスポットな用途に用いられてきた。例えば、屋外用途としてスポットライトやダウンライト、フットライト等である。
【０００４】
これに対して一般的な蛍光灯などの照明に変わる発光ダイオードを用いた街路灯用の照明装置として、例えば特許文献１のように広範囲に照明するために発光ダイオードが下面に指向するように、しかも多方向に指向するように多角形状に配置する方法が知られている。
【特許文献１】特開２００４−２００１０２号公報
【発明の開示】
【発明が解決しようとする課題】
【０００５】
従来の発光ダイオードを用いた街路灯用の照明装置において、様々な照明目的に適した配光にするために広範囲な配光が必要となり、そのためには多方向に指向させる多くの発光ダイオードを使用する必要があり省電力化ができないという課題を有している。
【０００６】
この様に発光ダイオードを用いた街路灯照明装置では、車道等の様に広範囲に照明しようとすると省電力が図れない問題があるが、公園の遊歩道や建物のアプローチなど、それぞれの設置空間の照明目的に適した配光にすることにより、少ない発光ダイオードでもその空間の照明目的に適した配光が可能であり、省電力化できる。
【０００７】
そこで本発明は、前記従来の課題を解決するもので、少ない発光ダイオードにおいても照明ユニットを角度変更手段により可変させることにより、設置場所の照明目的に適した効率の良い配光が可能であり、省電力化が図れることを目的としている。
【課題を解決するための手段】
【０００８】
上記目的を達成するために本発明が講じた第１の解決手段は、照明器具を支柱の上部に保持する街路灯であって、前記照明器具にレンズと発光ダイオードが一体になった複数の照明ユニットが下方向に指向するように装着され、前記照明ユニットは角度変更手段により角度を変更でき、照明の配光を任意に変更できるようにしたものである。
【０００９】
この手段により、少ない発光ダイオードにおいても街路灯の設置場所の照明目的に適した効率の良い配光が可能であり、省電力化が図れる。
【００１０】
また、本発明が講じた第２の解決手段は、複数の照明ユニットの角度変更手段を垂直下方向に対して５０度まで角度を変更できるようにするものである。
【００１１】
この手段により、少ない発光ダイオードにおいても街路灯の設置場所の照明目的に適した効率の良い配光が可能であり、省電力化が図れる。
【００１２】
また、本発明が講じた第３の解決手段は、複数の照明ユニットを角度変更手段により歩道配光にするものである。
【００１３】
この手段により、遊歩道などの歩行者が歩く歩道に適した効率の良い配光を設定する事ができる。
【００１４】
また、本発明が講じた第４の解決手段は、複数の照明ユニットを角度変更手段により集中配光にするものである。
【００１５】
この手段により、サインを明るく見えやすくしたり、モニュメントなどの立体物を演出する等の照明に適した効率の良い配光を設定する事ができる。
【００１６】
また、本発明が講じた第５の解決手段は、複数の照明ユニットを角度変更手段によりコミュニティー配光にするものである。
【００１７】
この手段により、ベンチ周辺を明るくし、ベンチでのコミュニケーションに適した効率の良い配光を設定する事ができる。
【００１８】
また、本発明が講じた第６の解決手段は、複数の照明ユニットを角度変更手段によりライン配光にするものである。
【００１９】
この手段により、花壇等のライン状の細長いエリアの照明に適した効率の良い配光を設定する事ができる。
【００２０】
また、本発明が講じた第７の解決手段は、複数の照明ユニットを角度変更手段によりシンボル配光にするものである。
【００２１】
この手段により、街路灯とその直下のサインやモニュメントをシンボルとして見せることに適し効率の良いた配光を設定する事ができる。
【００２２】
また、本発明が講じた第８の解決手段は、複数の照明ユニットを角度変更手段によりランダム配光Ａにするものである。
【００２３】
この手段により、街路灯とストリートファニチャー等と組み合わせて、街路灯下のベンチ等から外側の路面に光が広がり、路面に光の表情を与える等の効率の良い配光を設定する事ができる。
【００２４】
また、本発明が講じた第９の解決手段は、複数の照明ユニットを角度変更手段によりランダム配光Ｂにするものである。
【００２５】
この手段により、ストリートファニチャー等と組み合わせて街路灯から光が収束し、しかも路面に光の表情を与える効率の良い配光を設定する事ができる。
【００２６】
また、本発明が講じた第１０の解決手段は、照明が明かりセンサーにより点灯及び消灯するものである。
【００２７】
この手段により、日没と日出に合わせて自動的に照明の点灯及び消灯ができる。
【００２８】
また、本発明が講じた第１１の解決手段は、照明が明かりセンサーにより点灯しタイマーにより任意の時間で消灯するものである。
【００２９】
この手段により、日没に合わせて自動に点灯し、公園の閉鎖時間等消灯したい時間に合わせて自動的に消灯ができるものである。
【００３０】
また、本発明が講じた第１２の解決手段は、人感センサーにより人を感知して点灯し、人を感知しなくなったら消灯するものである。
【００３１】
この手段により、人が存在する時のみ照明することができ省電力を図れる。
【００３２】
また、本発明が講じた第１３の解決手段は、任意の時間に減光するものである。
【００３３】
この手段により、夜間に減光できることにより省電力で長時間照明ができる。
【００３４】
また、本発明が講じた第１４の解決手段は、照明器具を２本の支柱の間に地上から所定の高さに保持すものである。
【００３５】
この手段により、歩道の側面に沿って路面上に照明器具が来るように街路灯を設置した１本支柱では支柱の影が照明器具の反対側の花壇等に出きるが、歩道側面に沿って支柱を２本設置し支柱の間に照明器具を配置した場合、路面も花壇側も同じように照明することができる。
【００３６】
また、本発明が講じた第１５の解決手段は、照明器具を４本の支柱の間に地上から所定の高さに保持すものである。
【００３７】
この手段により、支柱の太さを細くすることができ、全周囲に照明を行う時に支柱による影の影響をなくす事ができる。
【００３８】
また、本発明が講じた第１６の解決手段は、照明の発光ダイオードが白色であるものである。
【００３９】
この手段により、照明による色温度が高くなり照明に青味がかかりより明るくイメージになる。
【００４０】
また、本発明が講じた第１７の解決手段は、照明の発光ダイオードが電球色であるものである。
【００４１】
この手段により、照明による色温度が低くなり照明に黄味がかかり空間を温かく落ち着きがあるイメージになる。
【００４２】
また、本発明が講じた第１８の解決手段は、風力発電手段又は太陽光発電手段により発生する電力を蓄電する手段を備え、前記蓄電手段に蓄電された電力を用いて照明することである。
【００４３】
この手段により、商用電力を使わず自然エネルギーを利用した環境に優しい照明を提供できる。
【発明の効果】
【００４４】
本発明によれば、設置した空間の照明目的に適した配光を設定できることにより省電力化が図れる街路灯照明装置を提供することができる。
【発明を実施するための最良の形態】
【００４５】
本発明の請求項１記載の発明は、支柱の上部に保持する照明器具にレンズと発光ダイオードが一体になった複数の照明ユニットが下方向に指向するように装着され、この照明ユニットは角度変更手段により角度を変更でき、照明の配光を任意に変更できるものである。こように発光ダイオードとレンズを一体にすることにより角度変更手段により角度を変更しても、一つの照明ユニットの照射範囲が一定になり、複数の照明ユニットの照明範囲を組み合わせる事により必要な照度が得られ、少ない発光ダイオードにおいても街路灯の設置場所の照明目的に適した効率の良い配光が可能であり、省電力化が図れるものである。
【００４６】
本発明の請求項２記載の発明は、照明ユニットが角度変更手段により垂直下方向に対して５０度まで角度を変更できることにより、街路灯の直下の照明から、街路灯の周囲方向に向けた照明まで任意に照射方向を設定でき、複数の照明ユニットの照明範囲を組み合わせる事により、少ない発光ダイオードにおいても街路灯の設置場所の照明目的に適した効率の良い配光が可能であり、省電力化が図れるものである。
【００４７】
本発明の請求項３記載の発明は、複数の照明ユニットを角度変更手段により歩道の幅に対応した歩道配光にすることにより、遊歩道などの歩行者が歩く歩道に対応した効率の良い配光を設定することができるものである。
【００４８】
本発明の請求項４記載の発明は、複数の照明ユニットを角度変更手段により集中的に配光する集中配光にすることにより、サインを明るく見えやすくしたり、モニュメントなどの立体物を演出する等の照明に適した効率の良い配光を設定することができるものである。
【００４９】
本発明の請求項５記載の発明は、複数の照明ユニットを角度変更手段によりベンチ等のエリアに光を集めたコミュニティー配光にすることにより、ベンチ周辺を明るくし、ベンチでのコミュニケーションに適した効率の良い配光を設定することができるものである。
【００５０】
本発明の請求項６記載の発明は、複数の照明ユニットを角度変更手段により花壇など細長い対象物に対応するようにライン配光にすることにより、花壇等の細長いエリアの照明に適した効率の良い配光を設定することができるものである。
【００５１】
本発明の請求項７記載の発明は、複数の照明ユニットを角度変更手段により街路灯の周辺に光を集めたシンボル配光にすることにより、街路灯とその直下のサインやモニュメントをシンボルとして見せることに適した効率の良い配光を設定することができるものである。
【００５２】
本発明の請求項８記載の発明は、複数の照明ユニットを角度変更手段により街路灯から外側に光が広がるランダム配光Ａにすることにより、街路灯とストリートファニチャー等と組み合わせて、街路灯下のベンチ等から外側の路面に光が広がり、路面に光の表情を与える等の効率の良い配光を設定することができるものである。
【００５３】
本発明の請求項９記載の発明は、複数の照明ユニットを角度変更手段により街路灯下から光が外方向に収束するランダム配光Ｂにすることにより、街路灯とストリートファニチャー等と組み合わせて、ストリートファニチャー等と組み合わせて街路灯から光が収束し、しかも路面に光の表情を与える効率の良い配光を設定することができるものである。
【００５４】
本発明の請求項１０記載の発明は、支柱もしくは照明器具に設置した明かりセンサーにより照明が点灯及び消灯することにより、日没と日出に合わせて自動に照明の点灯及び消灯ができるものである。
【００５５】
本発明の請求項１１記載の発明は、支柱もしくは照明器具に明かりセンサーとタイマーを設置することにより、明かりセンサーにより日没に合わせて自動に点灯し、タイマーにより公園の閉鎖時間等消灯したい時間に合わせて自動に消灯ができるものである。
【００５６】
本発明の請求項１２記載の発明は、支柱もしくは照明器具に人感センサーを設置することにより、人感センサーにより人を感知して点灯し、人を感知しなくなったら消灯でき省電力を図れるものである。
【００５７】
本発明の請求項１３記載の発明は、支柱もしくは照明器具に減光制御の回路を設置することにより、夜間の任意の時間に減光できることにより省電力で長時間照明ができる。
【００５８】
本発明の請求項１４記載の発明は、照明器具を２本の支柱の間に地上から所定の高さに保持することにより、歩道の側面に沿って路面上に照明器具が来るように街路灯を設置した１本支柱では支柱の影が照明器具の反対側の花壇等に出きるが、歩道側面に沿って支柱を２本設置した場合、路面も花壇側も同じように照明することができるものである。
【００５９】
本発明の請求項１５記載の発明は、照明器具を４本の支柱の間に地上から所定の高さに保持すことにより、支柱の太さを細くすることができ、全周囲に照明を行う時に支柱による影の影響をなくすことができる。
【００６０】
本発明の請求項１６記載の発明は、照明の発光ダイオードを白色にすることにより、照明による色温度が高くなり照明に青味がかかりより明るくイメージになにすることができる。
【００６１】
本発明の請求項１７記載の発明は、照明の発光ダイオードを電球色にすることにより、照明による色温度が低くなり照明に黄味がかかり空間を温かく落ち着きがあるイメージにすることができる。
【００６２】
本発明の請求項１８記載の発明は、風力発電又は太陽光発電により発生する電力を蓄電池に蓄電し、その電力を用いて照明することであり、自然エネルギーを利用した環境に優しい照明を提供できる。
【００６３】
（実施の形態１）
まず本発明における街路灯の概略構成について説明する。
【００６４】
図１に示すように、支柱ａ１と、この支柱ａ１の上部に保持された照明器具ａ２を備えた構成になっている。また、図２は照明器具ａ２の内部を示した図であるが、照明器具ａ２には、レンズ３と発光ダイオード４が一体になった照明ユニット５が角度変更手段６により下方向に指向するように装着され、照明器具ａ２の下方は透明なカバー７で覆われた構成となっている。また、図３に示すように、照明ユニット５は角度変更手段６により照射点に向けて、回転方向角度（ａ）の回転角度Ｘ１と垂直方向角度（ｂ）の垂直角度Ｘ２の角度に変更する事が可能であり、垂直角度Ｘ２は、０度から５０度までの範囲で変更できるものである。この角度変更手段６により、０度による直下への配光から５０度による歩道の端から反対への配光まで対応が可能となり、設置空間の照明目的に適した配光を設定することができるものである。
【００６５】
次に、設置空間の照明目的に適応した配光のシミュレーションについて説明する。
【００６６】
このシミュレーションは、条件として１Ｗの照明ユニット１０個をもちいて、角度を回転角度Ｘ１と垂直角度Ｘ２に変更し、照明目的に適した配光を検討したものである。１０個の照明ユニットに番号を設定し、それぞれの変更角度である回転角度Ｘ１と垂直角度Ｘ２を一覧にしたものが照明ユニット角度（ａ）である。この角度に照明ユニットを変更した時の配光が配光（ｂ）である。なお、照明ユニットの高さは一般的な街路灯の照明器具の設置高さである３ｍに設定している。このシミュレーションにより検討した配光を次に説明する。
【００６７】
図４は、歩道配光の図であり照明ユニット角度（ａ）と配光（ｂ）を示す図である。１０個の照明ユニット５をそれぞれ回転角度Ｘ１と垂直角度Ｘ２の角度に変更する事により遊歩道などの歩行者が歩く歩道に対応した配光を設定することができるものである。なお、この場合の歩道幅は４メートルを想定しており、回転角度Ｘ１と首振角度Ｘ２の角度を変更する事によりこれより狭い幅の歩道、例えば３メートル幅の歩道でも、これより広い幅の歩道、例えば５ｍ幅の歩道でも対応が可能である。
【００６８】
図５は、集中配光の図であり照明ユニット角度（ａ）と配光（ｂ）を示す図である。１０個の照明ユニット５をそれぞれ回転角度Ｘ１と垂直角度Ｘ２の角度に変更する事により、サインを明るく見えやすくしたり、モニュメントなどの立体物を演出する等の照明に適した配光を設定することができるものである。なお、集中配光の配光の大きさは照明の対象物により変更してもよい。
【００６９】
図６は、コミュニティー配光の図であり照明ユニット角度（ａ）と配光（ｂ）を示す図である。１０個の照明ユニット５をそれぞれ回転角度Ｘ１と垂直角度Ｘ２の角度に変更する事により、ベンチ周辺を明るくし、ベンチでのコミュニケーションに適した配光を設定することができるものである。なお、コミュニティー配光の配光の大きさはベンチなどの照明の対象物により変更してもよい。
【００７０】
図７は、ライン配光の図であり照明ユニット角度（ａ）と配光（ｂ）を示す図である。１０個の照明ユニット５をそれぞれ回転角度Ｘ１と垂直角度Ｘ２の角度に変更する事により、花壇等のライン状の細長いエリアの照明に適した配光を設定することができるものである。なお、ライン配光の配光の大きさは花壇などの照明の対象物により変更してもよい。
【００７１】
図８は、シンボル配光の図であり照明ユニット角度（ａ）と配光（ｂ）を示す図である。１０個の照明ユニット５をそれぞれ回転角度Ｘ１と垂直角度Ｘ２の角度に変更する事により、街路灯とその直下のサインやモニュメントをシンボルとして見せることに適した配光を設定することができるものである。なお、シンボル配光の配光の大きさは照明の対象物により変更してもよい。
【００７２】
図９は、ランダム配光Ａの図であり照明ユニット角度（ａ）と配光（ｂ）を示す図である。１０個の照明ユニット５をそれぞれ回転角度Ｘ１と垂直角度Ｘ２の角度に変更する事により、街路灯とストリートファニチャー等と組み合わせて、街路灯下のベンチから外側の路面に光が広がり、路面に光の表情を与える等の配光を設定することができるものである。なお、ランダム配光Ａの配光の大きさは照明の対象物により変更してもよい。
【００７３】
図１０は、ランダム配光Ｂの図であり照明ユニット角度（ａ）と配光（ｂ）を示す図である。１０個の照明ユニット５をそれぞれ回転角度Ｘ１と垂直角度Ｘ２の角度に変更する事により、街路灯とストリートファニチャー等と組み合わせて、ストリートファニチャー等と組み合わせて街路灯から光が収束し、しかも路面に光の表情を与える配光を設定することができるものである。なお、ランダム配光Ｂの配光の大きさは照明の対象物により変更してもよい。
【００７４】
上記により、少ない発光ダイオードにおいても街路灯を設置した空間の照明目的に適した配光が設定でき、省電力化が図れる。
【００７５】
なお、支柱ａ１に保持された照明器具ａ２の保持高さは一般的な街路灯では３メートル前後であるが、照明目的をアプローチ照明とした場合、１メートル前後の高さに設置しても角度変更に取り照明目的に適した配光にすることができる。
【００７６】
なお、角度変更手段６はジョイントによって自由に任意の角度に変更できるもでも良いが、あらかじめ配光目的に適した角度に固定した角度変更手段６により照明器具ａ２に装着しても良い。角度変更手段６としては、角度が変更できればよく、例えば、ステッピングモータによる角度変更などがある。
【００７７】
なお、照明器具ａ２は下方で透明なカバー７に覆われているがこれは雨の侵入を防ぐもので、照明器具ａ２と照明ユニット５が防水の対策がされていればカバー７の必要はない。
【００７８】
なお、照明ユニット５の数は、シミュレーションでは１０個の照明ユニット５を使用しているが、照明ユニット５の発光ダイオードの高出力化により最低４個の照明ユニット５でも同様の照明目的を果たす配光が可能である。
【００７９】
なお、発光ダイオードは、設置目的に応じて、白色にすることにより照明による色温度が高くなり照明に青味がかかりより明るくイメージになにすることができ、電球色にすることにより、照明による色温度が低くなり照明に黄味がかかり空間を温かく落ち着きがあるイメージにすることができる。
【００８０】
（実施の形態２）
実施の形態１と同一部分は同一符号を附し、詳細な説明は省略する。図１１に示すように、２本の支柱ｂ８の上部に太陽光発電手段９を備え、２本のポール支柱ｂ８に挟まれて風力発電手段１０と照明器具ｂ１１と蓄電池などの蓄電手段１２を備えた構成になっている。照明器具ｂ１１には、明かりセンサー１３とタイマー１４と人感センサー１５と減光制御１６を備えた構成になっている。
【００８１】
明かりセンサー１３により照明が点灯及び消灯することにより、日没と日出に合わせて自動に照明の点灯及び消灯ができるものである。また、明かりセンサー１３とタイマー１４により、明かりセンサー１３により日没に合わせて自動に点灯し、タイマー１４により公園の閉鎖時間等消灯したい時間に合わせて自動に消灯ができるものである。また、人感センサー１５により人を感知して点灯し、人を感知しなくなったら消灯でき省電力を図れるものである。また、減光制御１６により夜間の任意の時間に減光できることにより省電力で長時間照明ができる。
【００８２】
上記により、太陽光発電及び風力発電による自然エネルギーの利用とセンサー及び制御の組み合わせによる使い方で環境に優しい省電力な街路灯を提供する事ができる。また、歩道の側面に沿って路面上に照明器具が来るように街路灯を設置した場合、１本支柱では支柱の影が照明器具の反対側の花壇等に出きるが、歩道側面に沿って支柱を２本設置した場合、路面も花壇側も同じように照明することができる。
【００８３】
なお、実施例ではソーラーモジュール等の太陽光発電手段９とサボニウス風車等の風力発電手段１０を備えているが、発電が可能な環境であればどちらか一つの発電手段でも良い。
【００８４】
なお、実施例では２本の支柱ｂ８を備えているが、コストが可能であれば４本の支柱でも良く、支柱の本数が増えれば支柱の太さを細くすることができ、全周囲に照明を行う時に支柱による影の影響をなくす事ができる。
【産業上の利用可能性】
【００８５】
本発明によれば、少ない発光ダイオードを用いて設置した空間の照明目的に適した照明範囲を設定でき、発光ダイオードの効率が高くなれば車道用の照明装置に適用することも可能である。
【図面の簡単な説明】
【００８６】
【図１】本発明の実施の形態１における街路灯の概略図
【図２】本発明の実施の形態１における照明装置の内部を示す図
【図３】本発明の実施の形態１における照明ユニットの角度方向を示す図（（ａ）同回転方向角度を示す図、（ｂ）同垂直方向角度を示す図）
【図４】本発明の実施の形態１における歩道配光を示す図（（ａ）同照明ユニット角度を示す図、（ｂ）同配光を示す図）
【図５】本発明の実施の形態１における集中配光を示す図（（ａ）同照明ユニット角度を示す図、（ｂ）同配光を示す図）
【図６】本発明の実施の形態１におけるコミュニティー配光を示す図（（ａ）同照明ユニット角度を示す図、（ｂ）配光を示す図）
【図７】本発明の実施の形態１における細長配光を示す図（（ａ）同照明ユニット角度を示す図、（ｂ）同配光を示す図）
【図８】本発明の実施の形態１におけるシンボル配光を示す図（（ａ）同照明ユニット角度を示す図、（ｂ）配光を示す図）
【図９】本発明の実施の形態１におけるランダム配光Ａを示す図（（ａ）同照明ユニット角度を示す図、（ｂ）同配光を示す図）
【図１０】本発明の実施の形態１におけるランダム配光Ｂを示す図（（ａ）同照明ユニット角度を示す図、（ｂ）同配光を示す図）
【図１１】本発明の実施の形態２における街路灯の概略図
【符号の説明】
【００８７】
１    支柱ａ
２    照明器具ａ
３    レンズ
４    発光ダイオード
５    照明ユニット
６    角度変更手段
７    カバー
８    支柱ｂ
９    太陽光発電手段
１０  風力発電手段
１１  照明器具ｂ
１２  蓄電手段
１３  明かりセンサー
１４  タイマー
１５  人感センサー
１６  減光制御
【図１】
2008258007.tif 000003
【図２】
2008258007.tif 000004
【図３】
2008258007.tif 000005
【図４】
2008258007.tif 000006
【図５】
2008258007.tif 000007
【図６】
2008258007.tif 000008
【図７】
2008258007.tif 000009
【図８】
2008258007.tif 000010
【図９】
2008258007.tif 000011
【図１０】
2008258007.tif 000012
【図１１】
2008258007.tif 000013